(57)【特許請求の範囲】
【請求項１】
収納筒体（２１）の長手方向に長孔（２４）が設けられ、ブラシ本体（２７）に設けられた操作体（３３）を長孔（２４）に沿って移動操作することにより、ブラシ毛（２８）が収納筒体（２１）の先端開口部（２３）から出退され、収納筒体（２１）とブラシ本体（２７）との間に、前記長孔（２４）からブラシ本体（２７）のブラシ毛（２８）が外方突出しないように規制する規制部材（４１）が設けられた化粧用ブラシにおいて、
収納筒体（２１）の先端部に、抜け止め部（４３）が設けられ、前記規制部材（４１）に、規制部材（４１）が収納筒体（２１）の先端から突出しないように前記抜け止め部（４３）に係合する係合部（４６）が設けられていることを特徴とする化粧用ブラシ。
【請求項２】
収納筒体（２１）に、先端側にブラシ毛（２８）を有するブラシ本体（２７）が収納され、収納筒体（２１）の長手方向に長孔（２４）が設けられ、ブラシ本体（２７）に、操作体（３３）が長孔（２４）から外方突出するように設けられ、操作体（３３）を長孔（２４）に沿って移動操作することにより、ブラシ毛（２８）が収納筒体（２１）内に収まる収納位置Ａとブラシ毛（２８）が収納筒体（２１）の先端から突出する使用位置Ｂとに、ブラシ本体（２７）を移動させるようにし、収納筒体（２１）とブラシ本体（２７）との間に、前記長孔（２４）からブラシ本体（２７）のブラシ毛（２８）が外方突出しないように規制する規制部材（４１）が設けられた化粧用ブラシにおいて、
前記収納筒体（２１）の先端部に先端に向かうに従って徐々に先端開口部（２３）が小さくなるように窄められた抜け止め部（４３）が設けられ、規制部材（４１）の先端側に規制部材（４１）が収納筒体（２１）の先端から突出するのを阻止するように、前記抜け止め部（４３）の内周面に係合する係合部（４６）が規制部材（４１）の先端側に設けられていることを特徴とする化粧用ブラシ。
【請求項３】
前記係合部（４６）は、収納筒体（２１）の内周面に沿う円弧状に形成されていることを特徴とする請求項１または２に記載の化粧用ブラシ。
【請求項４】
前記係合部（４６）は、収納筒体（２１）の内周面に沿うリング形状とされていることを特徴とする請求項１または２に記載の化粧用ブラシ。
【発明の詳細な説明】
【０００１】
【発明の属する技術分野】
本発明は、パウダーブラシ等の化粧用ブラシに関するものである。
【０００２】
【従来の技術】
パウダーブラシ等の化粧用ブラシには、例えば図１８に示すように、収納筒体１に、先端側にブラシ毛１４を有するブラシ本体３が収納され、収納筒体１の長手方向に長孔４が設けられ、ブラシ本体３に、操作体５が長孔４から外方突出するように設けられ、操作体５を長孔４に沿って移動操作することにより、ブラシ毛１４が収納筒体１内に収まる収納位置Ａとブラシ毛１４が収納筒体１の先端から突出する使用位置Ｂとに、ブラシ本体３を移動させるようにした化粧用ブラシにおいて、収納筒体１とブラシ本体３との間に、前記長孔４からブラシ本体３のブラシ毛１４が外方突出しないように規制する規制部材８が設けられているものがある（特開２００１−１１２５３６号公報参照。以下、従来例という）。
【０００３】
【発明が解決しようとする課題】
このような構成の化粧用ブラシにおいては、収納筒体１とブラシ本体３の寸法誤差が大きくなると収納筒体１とブラシ本体３との間の規制部材８を組み込むための隙間、すなわち図１８において、記号ａで示す距離（以下、隙間ａという）が大きくなったり、小さくなったりする。
前記隙間ａが小さくなった場合には、規制部材８が収納筒体１とブラシ本体３とに挟まれて移動しにくくなり、逆に前記隙間ａが大きくなった場合には、図１８に示すように、規制部材８に形成された先端ストッパー９が収納筒体１に形成された長孔４の先端開口縁部１３に接当せずに収納筒体１の内側に潜り込んでしまい、この規制部材８はブラシ毛１４とともに収納筒体１の先端部からはみ出て化粧の邪魔になる場合があった。
【０００４】
このことを解消するためには、隙間ａを適正な距離にするために、収納筒体１およびブラシ保持具１６を高い寸法精度にて製造する必要があるが、特に大型の化粧用ブラシを製造するときには、これら収納筒体等を高い寸法精度で製造するのが難しく、この点から化粧用ブラシの製造が困難となっていた。
そこで本発明は、収納筒体等に高い寸法精度が要求されずにすんで容易に製作でき、かつ、規制部材が所望の動作をスムーズに行うことができる化粧用ブラシを提供することを目的とする。
【０００５】
【課題を解決するための手段】
本発明が上記課題を解決するための技術的手段は、収納筒体２１の長手方向に長孔２４が設けられ、ブラシ本体２７に設けられた操作体３３を長孔２４に沿って移動操作することにより、ブラシ毛２８が収納筒体２１の先端開口部２３から出退され、収納筒体２１とブラシ本体２７との間に、前記長孔２４らブラシ本体２７のブラシ毛２８が外方突出しないように規制する規制部材４１が設けられた化粧用ブラシにおいて、収納筒体２１の先端部に、抜け止め部４３が設けられ、前記規制部材４１に、規制部材４１が収納筒体２１の先端から突出しないように前記抜け止め部４３に係合する係合部４６が設けられていることである。
【０００６】
本発明の他の技術的手段は、収納筒体２１に、先端側にブラシ毛２８を有するブラシ本体２７が収納され、収納筒体２１の長手方向に長孔２４が設けられ、ブラシ本体２７に、操作体３３が長孔２４から外方突出するように設けられ、操作体３３を長孔２４に沿って移動操作することにより、ブラシ毛２８が収納筒体２１内に収まる収納位置Ａとブラシ毛２８が収納筒体２１の先端から突出する使用位置Ｂとに、ブラシ本体２７を移動させるようにし、収納筒体２１とブラシ本体２７との間に、前記長孔２４からブラシ本体２７のブラシ毛２８が外方突出しないように規制する規制部材４１が設けられた化粧用ブラシにおいて、前記収納筒体２１の先端部に先端に向かうに従って徐々に先端開口部２３が小さくなるように窄められた抜け止め部４３が設けられ、規制部材４１の先端側に規制部材４１が収納筒体２１の先端から突出するのを阻止するように、前記抜け止め部４３の内周面に係合する係合部４６が規制部材４１の先端側に設けられていることである。
【０００７】
本発明の他の技術的手段は、前記係合部４６は、収納筒体２１の内周面に沿う円弧状に形成されていることである。
本発明の他の技術的手段は、前記係合部４６は、収納筒体２１の内周面に沿うリング形状とされていることである。
【０００８】
【発明の実施の形態】
以下、図面を参照して本発明の実施の形態を説明する。
図１〜図５は本発明における化粧用ブラシの第１実施形態として顔に白粉を付けるためのパウダーブラシを示している。同図において、２１は収納筒体で、長円形の筒状に形成された胴部２２と、基端に設けられた閉塞壁２５とを有し、収納筒体２１の先端に先端開口部２３が設けられ、基端は閉塞されている。収納筒体２１の胴部２２に長孔２４が長手方向に形成されている。
【０００９】
２７はブラシ本体で、先端側に束ねられた多数のブラシ毛２８を有すると共に、該先端側のブラシ毛２８を束状に保持するブラシ保持具２９を有している。ブラシ本体２７はブラシ毛２８が先端開口部２３から出退するように収納筒体２１内に長手方向移動自在に収納されている。ブラシ保持具２９には一対の摺動脚部３０が基端側に突出されている。
ブラシ本体２７に、操作体３３が長孔２４から外方突出するように設けられている。この操作体３３は、操作頭部３４と一対の支持脚部３５とを有している。一対の支持脚部３５を、ブラシ本体２７の一方の摺動脚部３０に取付孔３６を介して挿通し、支持脚部３５先端の係合爪３７を、摺動脚部３０の取付孔３６の開口縁部に係合して抜け止めすることにより、操作体３３が一方の摺動脚部３０に装着され、一対の支持脚部３５が長孔２４内に挿通されて、操作頭部３４が長孔２４より収納筒体２１の外部に突出されている。
【００１０】
操作体３３を長孔２４に沿って該長孔２４の基端側に移動操作することにより、図１に示す如くブラシ毛２８が収納筒体２１内に収まる収納位置Ａに、ブラシ本体２７を移動させることができると共に、操作体３３を長孔２４に沿って該長孔２４の先端側に移動操作することにより、図５に示す如くブラシ毛２８が収納筒体２１の先端から突出する使用位置Ｂに、ブラシ本体２７を移動させることができるように構成されている。
収納位置Ａにあるブラシ本体２７のブラシ毛２８の中途部に長孔２４の先端が達するように、前記長孔２４は収納筒体２１の胴部２２に形成され、収納筒体２１とブラシ本体２７との間に、長孔２４からブラシ本体２７のブラシ毛２８が外方突出しないように規制する規制部材４１が設けられている。
【００１１】
この規制部材４１において長板状とされた胴部４１ａの基端側には、前記長孔２４に対応して該長孔２４の半分程度の長さの長孔４２が設けられている。
また、規制部材４１の先端側は、長孔２４の先端側とブラシ本体２７のブラシ毛２８との間を塞ぐ閉塞部４４とされている（図４（１）参照）。
前記収納筒体２１の先端部には、先端に向かうに従って徐々に先端開口部２３が窄められた抜け止め部４３が設けられ、規制部材４１の先端側には、規制部材４１が収納筒体２１の先端から突出するのを阻止するように、前記抜け止め部４３の内周面に係合する係合部４６が設けられている。この係合部４６は、収納筒体２１の内周面に沿う円弧状に形成されている。
【００１２】
前記操作体３３の一対の支持脚部３５が、前記収納筒体２１の長孔２４と規制部材４１の長孔４２とに挿通されている。これにより、規制部材４１が、長孔２４からブラシ本体２７のブラシ毛２８が外方突出しないように規制すると共に、規制部材４１が、操作体３３の移動操作に連動して、操作体３３が長孔２４に沿って長孔２４の先端側を移動するのを妨げないように、退避可能に構成されている。
即ち、長孔２４の先端側とブラシ本体２７のブラシ毛２８との間を閉塞部４４で塞ぐ規制位置Ｃと、操作体３３が長孔２４に沿って長孔２４の先端側を移動するのを妨げないように、閉塞部４４が収納筒体２１の長孔２４前方に位置する退避位置Ｄとに、規制部材４１は移動自在とされ、図１に示す如くブラシ本体２７のブラシ毛２８が長孔２４側に位置するとき、ブラシ毛２８が長孔２４から突出しないように、規制部材４１が規制位置Ｃに位置すると共に、図５に示す如くブラシ本体２７のブラシ毛２８が長孔２４の前方に位置するとき、操作体３３の移動操作を妨げないように、規制部材４１が退避位置Ｄに位置するように、規制部材４１が操作体３３の移動操作に連動するようになっている。
【００１３】
４５は収納筒体２１に着脱自在に套嵌されるキャップである。
化粧用ブラシを使用する場合、図１に示すようにブラシ本体２７が収納位置Ａにある状態から、キャップ４５を収納筒体２１の先端側から取り外した後、図５に鎖線で示す如くキャップ４５を収納筒体２１の基端側に套嵌して、キャップ４５で操作体３３を長孔２４に沿って該長孔２４の先端側に移動操作すればよい。
ブラシ本体２７が収納位置Ａから使用位置Ｂに移動する際には、ブラシ本体２７のブラシ毛２８が長孔２４の先端側に位置するとき、規制部材４１が規制位置Ｃにあるため、長孔２４の先端側とブラシ本体２７のブラシ毛２８との間を規制部材４１の閉塞部４４で塞ぎ、ブラシ毛２８が長孔２４から突出しないように、規制部材４１が規制するようになっている。
【００１４】
化粧用ブラシを使用した後にブラシ本体２７を収納筒体２１に収納する場合、図５に示すようにブラシ本体２７が使用位置Ｂにある状態から、操作体３３が長孔２４に沿って該長孔２４の基端側に移動操作されて、ブラシ本体２７が収納筒体２１に対して基端側に移動して収納位置Ａに移動し、ブラシ毛２８が収納筒体２１内に収納される。
ブラシ本体２７が使用位置Ｂから収納位置Ａに移動する途中において、操作体３３が規制部材４１の長孔４２内を基端側に移動して、操作体３３が長孔４２の基端開口縁部４８に接当し、規制部材４１は操作体３３によって基端側に押圧される。
【００１５】
そして、操作体３３により基端開口縁部４８が押圧されて、規制部材４１が次第に基端側に移動し、最終的には基端開口縁部４８が長孔２４の基端開口縁部に接当して、規制部材４１の基端側への移動が規制され、規制部材４１が規制位置Ｃに移動して止まる。すなわち、規制部材４１が退避位置Ｄから規制位置Ｃに移動し、長孔２４の先端側とブラシ本体２７のブラシ毛２８との間を規制部材４１の閉塞部４４で塞いだ状態になるのである。
この化粧用ブラシの製作方法について説明すると、収納筒体２１の先端に抜け止め部４３を設ける前に、すなわち、収納筒体２１の先端部を先端に向かうに従って徐々に先端開口部２３が小さくなるように窄める前に、例えばアルマイト処理等の仕上げ処理をした金属製の収納筒体２１内にブラシ本体２７、規制部材４１を装入し、その後操作体３３をブラシ本体２７に取付け、この後に、収納筒体２１の先端部を窄めて（絞って）抜け止め部４３を形成するのである。
【００１６】
上記第１実施形態によれば、従来例と比較して、本発明における化粧用ブラシは、収納筒体２１およびブラシ本体２７のブラシ保持具２９の寸法に誤差があり、図１８で示した隙間ａが大きくなったとしても抜け止め部４３に係合部４６が当接して規制部材４１の抜け止めを確実にして、規制部材４１が収納筒体２１の先端から突出することを確実に防ぐことができる。従って、収納筒体２１やブラシ本体２７のブラシ保持具２９の寸法誤差が大きくなった場合であっても規制部材４１は、所望の動作、すなわち上述したように長孔２４からブラシ本体２７のブラシ毛２８が外方突出しないように規制するための動作をスムーズに行うことができる。
【００１７】
さらに、この化粧用ブラシは、収納筒体２１の先端部を、先端に向かうに従って徐々に窄めるだけで簡単に抜け止め部４３を形成でき、係合部４６も構造が簡単であるので、ブラシ本体２７やブラシ保持具２９に高い寸法精度が要求されなくなり、化粧用ブラシを従来例よりも容易に製造することができるのである。
図６〜図１０は第２実施形態を示している。上述した第１実施形態では、収納筒体２１は長円形の筒状に形成されていたが、この第２実施形態では、収納筒体２１は円筒状に形成されている。また、規制部材４１は、収納筒体２１とブラシ本体２７の間で前後移動できるような外径の円筒とされている。
【００１８】
図６（図７）、図１０に示すようにブラシ本体２７は、ブラシ毛２８と、このブラシ毛２８の基端部を覆う円筒状の外筒体３１と、この外筒体３１の基端側を塞ぐ内筒体３２とから構成されている。外筒体３１は例えば金属製、内筒体３２は、例えば合成樹脂製である。ブラシ毛２８の基端部、外筒体３１、内筒体３２とは接着等により、一体とされている。
第２実施形態では、操作体３３を、操作頭部３４と支持脚部３５を有するピンにより構成している。
【００１９】
また、この第２実施形態では、円筒体である規制部材４１の先端部分が抜け止め部４３と係合する係合部４６とされ、該係合部４６は収納筒体２１の内周面に沿うリング形状とされている。
ここで、規制部材４１が収納筒体２１の先端部から外方突出するのを防止するために、すなわち、係合部４６が確実に抜け止め部４３に当接するために、収納筒体２１の先端部、すなわち抜け止め部４３の先端側の内径は、規制部材４１の外径よりも小さくなっている。その他の点は第１実施形態と同様の構成である。
【００２０】
この場合も、第１実施形態と同様に、収納筒体２１の先端部を先端に向かうに従って徐々に先端開口部２３が小さくなるように窄める前に、仕上げ処理であるアルマイト処理を施した金属製の収納筒体２１内にブラシ本体２７、規制部材４１を装入し、その後操作体３３をブラシ本体２７に取付け、この後に、収納筒体２１の先端部を窄めて（絞って）抜け止め部４３を形成して化粧用ブラシを製作するのである。
図１１、図１２は、第３実施形態を示している。
【００２１】
この第３実施形態では、規制部材４１は断面視（正面視）円弧状の板状体とされ、規制部材４１の先端部分が、抜け止め部４３と係合する係合部４６となり、この係合部４６は、収納筒体２１の内周面に沿う円弧形状とされている。その他の点は第２実施形態と同様の構成である。この場合には、化粧用ブラシの製作方法としては、第１実施形態、第２実施形態と同様に、ブラシ本体２７を仕上げ処理（アルマイト処理等）を施した収納筒体２１内に装着した後に、抜け止め部４３を形成するようにしても良いし、また、仕上げ処理前の収納筒体２１の先端部を窄めて抜け止め部４３を形成した後、この収納筒体２１にアルマイト処理等の仕上げ処理を施し、この後に、規制部材４１をブラシ本体２７より先に収納筒体２１に挿入し、そしてブラシ本体２７を収納筒体２１に挿入して組み付けるようにしてもよい。
【００２２】
図１３は第４実施形態を示し、前記規制部材４１の基端側部分を、長手方向基端側に延長すると共にＬ字状に屈曲して、操作体３３を基端側に移動させるときのストッパー４９を形成している。このストッパー４９は、操作体３３を基端側に移動操作したときに閉塞壁２５と当接して操作体３３およびブラシ本体２７の動作を規制するものである。その他の点は第１実施形態の場合と同様の構成である。
図１４は第５実施形態を示し、前記規制部材４１を、長円形の筒状に形成された収納筒体２１に対応する長円形の筒状に形成し、この規制部材４１を収納筒体２１に長手方向移動自在に内嵌するようにしたものである。その他の点は第１実施形態の場合と同様の構成である。この第５実施形態では、規制部材４１において、収納筒体２１の抜け止め部４３と係合する係合部４６は、筒状の規制部材４１の先端側部分となる。
【００２３】
図１５は第６実施形態を示し、前記規制部材４１を、長円形の筒状に形成された収納筒体２１に対応するＵ字状の板状体に形成し、規制部材４１を収納筒体２１に長手方向移動自在に内嵌するようにしたものである。換言すれば、第１実施形態における規制部材４１の胴部４１ａを、係合部４６と同様に収納筒体２１の内周面に沿う円弧状としたと言うこともできる。その他の点は前記第１実施形態の場合と同様の構成である。このように規制部材４１を形成すると、抜け止め部４３と係合する係合部４６は、Ｕ字状（円弧状）の規制部材４１の先端側の部分となる。
【００２４】
図１６は、第７実施形態を示し、規制部材４１のみを示している。第１実施形態では、規制部材４１の係合部４６は、収納筒体２１の内周面に沿う円弧形状とされていたが、この第７実施形態では、収納筒体２１の内周面に沿うリング状とされている（図１６（２）参照）。その他の点は第１実施形態の場合と同様の構成である。
図１７は、第８実施形態を示し、収納筒体２１のみを示している。
上述した第１〜第７実施形態では、抜け止め部４３は、収納筒体２１の先端を窄めることで形成されていたが、この第８実施形態では、抜け止め部４３は、収納筒体２１の先端を窄めずに、この収納筒体２１とは別体のリング体を収納筒体２１の先端部の内周面に固着することで形成されている。その他の点は第１〜第７実施形態の場合と同様の構成である。
【００２５】
なお、本発明は上述した実施の形態に限らず以下のように種々の変形が可能である。
収納筒体２１は、長円形の筒状のもの、円筒状のものに限らず、他の種々の形状の筒体、多角柱状のものを用いるようにしてもよい。
例えば収納筒体２１を多角柱状の筒体とした場合には、係合部４６に、この多角柱状の収納筒体２１の内周面に沿う角度をつけて形成してもよい。
第８実施形態で示した抜け止め部４３はリング体でなくてもよく、円弧状のものを用いてもよく、さらにこの円弧状のものを収納筒体２１に複数個設けるようにしてもよい。
【００２６】
本発明は、パウダーブラシに限らず、その他の種々の用途の化粧用ブラシにも実施可能である。
【００２７】
【発明の効果】
本発明によれば、収納筒体２１等に高い寸法精度が要求されなくなり、化粧用ブラシを安価かつ容易に製作できる。また、規制部材４１が所望の動作を行うことができて、収納筒体２１の先端部から外方突出するおそれもなくなる。
【図面の簡単な説明】
【図１】本発明の第１実施形態を示す不使用状態の側断面図である。
【図２】同不使用状態の平面図である。
【図３】同図１のＸ−Ｘ線断面図である。
【図４】同規制部材を示し、（１）は平面図、（２）は（１）のＹ−Ｙ線断面図である。
【図５】同使用状態の側断面図である。
【図６】本発明の第２実施形態を示す不使用状態の側断面図である。
【図７】同使用状態の側断面図である。
【図８】同規制部材の斜視図である。
【図９】同不使用状態の平面図である。
【図１０】図６のＫ−Ｋ線断面図である。
【図１１】本発明の第３実施形態を示し、規制部材を示す斜視図である。
【図１２】第３実施形態を示す背面断面図である。
【図１３】本発明の第４実施形態を示す側断面図である。
【図１４】本発明の第５実施形態を示す背面断面図である。
【図１５】本発明の第６実施形態を示す背面断面図である。
【図１６】本発明の第７実施形態における規制部材を示し、（１）はその側面図、（２）は（１）のＺ−Ｚ線断面図である。
【図１７】第８実施形態における収納筒体を示す側断面図である。
【図１８】従来例の化粧用ブラシ使用状態を示す側断面図である。
【符号の説明】
２１  収納筒体
２３  先端開口部
２４  長孔
２７  ブラシ本体
２８  ブラシ毛
３３  操作体
４１  規制部材
４３  抜け止め部
４６  係合部
【図１】
0003868300.tif 000002
【図２】
0003868300.tif 000003
【図３】
0003868300.tif 000004
【図４】
0003868300.tif 000005
【図５】
0003868300.tif 000006
【図６】
0003868300.tif 000007
【図７】
0003868300.tif 000008
【図８】
0003868300.tif 000009
【図９】
0003868300.tif 000010
【図１０】
0003868300.tif 000011
【図１１】
0003868300.tif 000012
【図１２】
0003868300.tif 000013
【図１３】
0003868300.tif 000014
【図１４】
0003868300.tif 000015
【図１５】
0003868300.tif 000016
【図１６】
0003868300.tif 000017
【図１７】
0003868300.tif 000018
【図１８】
0003868300.tif 000019